(57)【要約】【課題】ガイドレールに近接させて不正防止手段を設けた場合であっても、この不正防止手段を容易に設けることができ、且つ、遊技機の外観性を損なわせないことが可能な遊技機を提供することにある。【解決手段】本発明に係る遊技機１０は、遊技球が転動又は流下可能な遊技領域５２を有すると共に、上記遊技領域５２を囲繞して配置された外ガイドレール５３及び内ガイドレール５４を備えた遊技盤５０と、上記遊技盤５０に対向して配置され、上記遊技盤５０を被装する透過部材１１とを少なくとも具備し、上記透過部材１１に上記遊技盤５０に向かって起立する起立壁１２を一体に成型すると共に、上記起立壁１２が上記外ガイドレール５３及び上記内ガイドレール５４の何れか一方に沿って重ねて配置されて構成されている。【選択図】図１
2011078676.tif 000002
【特許請求の範囲】
【請求項１】
遊技球が転動又は流下可能な遊技領域を有すると共に、前記遊技領域を囲繞して配置されたガイドレールを備えた遊技盤と、
前記遊技盤に対向して配置され、前記遊技盤を被装する透過部材と、を少なくとも具備する遊技機において、
前記透過部材に前記遊技盤に向かって起立する起立壁を一体に成型すると共に、前記起立壁が前記ガイドレールに沿って重ねて配置される、
ことを特徴とする遊技機。
【請求項２】
前記透過部材は、前記ガイドレールに沿って外縁が形成される第１の透過部材と、前記第１の透過部材の前記外縁に対応する外縁を有する第２の透過部材とを備え、
前記第１及び第２の透過部材の何れか一方の前記外縁の一部に前記起立壁が一体に成型される、
ことを特徴とする請求項１記載の遊技機。
【発明の詳細な説明】
【技術分野】
【０００１】
本発明は、遊技機に関し、より詳細には、透明フィルム、ピアノ線、針金等の不正行為実行具を挿入して入賞手段等を不正に作動させる不正行為を防止する不正行為防止手段を備えた遊技機に関する。
【背景技術】
【０００２】
従来、遊技機には、遊技領域に配置された入賞手段に遊技球を入球させると抽選が開始され、この抽選に当選すると、通常、閉じた状態を維持しているアタッカーが開放され、入賞手段の条件に応じて所定数の遊技球を賞球として払い出すものが知られている。
【０００３】
近年、遊技機には、遊技機の外枠に生じる隙間から透明フィルム、ピアノ線、針金等の不正行為実行具を侵入させて遊技領域に配置された各種のスイッチから検出信号を検出させたり、或いは、入賞手段を不正に作動させる不正行為が発生している。
【０００４】
このような不正行為を防止するものとして、例えば、特許文献１では、ガラス板の外周を保持する保持部材を備え、この保持部材に、ガラス板の裏側（遊技盤側）に突出させた挿入防止壁を設け、この挿入防止壁によりガラス板の外周側から不正行為実行具の侵入を防ぐ弾球遊技機が開示されている。
【０００５】
また、例えば、特許文献２では、前枠、内枠の軸支側端部間の隙間を上下方向全範囲に亘って覆うように配置された不正防止シートを設け、この不正防止シートにより軸支側端部間の隙間から不正行為実行具の侵入を防ぐパチンコ機の不正防止構造が開示されている。
【先行技術文献】
【特許文献】
【０００６】
【特許文献１】特開２００８−２３１５８号公報
【特許文献２】特開２００８−２３１６８号公報
【発明の概要】
【発明が解決しようとする課題】
【０００７】
しかしながら、上記特許文献１は、挿入防止壁によりガラス板の外周側から不正行為実行具の侵入を防ぐものであるが、挿入防止壁がガイドレールから離れた位置に配置されており、このように、挿入防止壁がガイドレールから遠くなるほど、不正行為実行具を挿入され易いため、不正行為を防止するものとしては完全とは言えないという技術的課題があった。
【０００８】
また、上記特許文献２は、不正防止シートにより軸支側端部間の隙間から不正行為実行具の侵入を防ぐものであるが、上記特許文献１と同様に、不正防止シートがガイドレールから離れた位置に配置されており、不正防止シートがガイドレールから遠くなるほど、不正行為実行具を挿入され易いため、不正行為を防止するものとしては完全とは言えないという技術的課題があった。
【０００９】
また、上記特許文献２の不正防止シートをガイドレールの近傍に設けた場合、遊技者側から透過部材越しに不正防止シートが目視可能な状態となるため、遊技機の外観性を損なわせてしまうという技術的課題があった。
【００１０】
また、上記特許文献２は、不正防止シートを、前枠、内枠の軸支側端部間の隙間に上下方向全範囲に亘って覆うように配置しているが、このように、不正防止シートを種々の部材の隙間に取り付けると、製造工程が増え、作業性が煩雑化してしまうという技術的課題があった。
【００１１】
本発明の目的は、上記従来の実状を鑑みて、ガイドレールに近接させて不正防止手段を設けた場合であっても、この不正防止手段を容易に設けることができ、且つ、遊技機の外観性を損なわせないことが可能な遊技機を提供することにある。
【課題を解決するための手段】
【００１２】
上記課題を解決するために、本発明に係る遊技機は、遊技球が転動又は流下可能な遊技領域を有すると共に、上記遊技領域を囲繞して配置されたガイドレールを備えた遊技盤と、上記遊技盤に対向して配置され、上記遊技盤を被装する透過部材とを少なくとも具備し、上記透過部材に上記遊技盤に向かって起立する起立壁を一体に成型すると共に、上記起立壁が上記ガイドレールに沿って重ねて配置されて構成されている。
【発明の効果】
【００１３】
本発明によれば、ガイドレールに近接させて不正防止手段を設けた場合であっても、不正防止手段を容易に設けることができ、且つ、遊技機の外観性を損なわせないことが可能な遊技機を提供することができる。
【図面の簡単な説明】
【００１４】
【図１】本発明の一実施の形態である遊技機に係る構成について開放状態を模式的に示す斜視図である。
【図２】本発明の一実施の形態である遊技機に係る構成を模式的に示す正面図である。
【図３】本発明の一実施の形態である遊技機の遊技盤に係る構成を模式的に示す正面図である。
【図４】本発明の一実施の形態である遊技機の透過部材に係る構成を模式的に示す正面図である。
【図５】図４に示す線Ａ−Ａ´を模式的に示す断面図である。
【図６】本発明の他の実施の形態である遊技機の透過部材に係る構成を模式的に示す正面図である。
【図７】図６に示す線Ｂ−Ｂ´を模式的に示す断面図である。
【発明を実施するための形態】
【００１５】
以下、図面を参照しながら、本発明の実施の形態について詳細に説明する。なお、遊技機には、例えば、パチンコ遊技機、アレンジボール機又は雀球遊技機等があるが、本発明の実施の形態では、一例として、パチンコ遊技機に基づいて説明する。
【００１６】
（実施の形態１）
図１は、本発明の一実施の形態である遊技機に係る構成について開放状態を模式的に示す斜視図であり、図２は、本発明の一実施の形態である遊技機に係る構成を模式的に示す正面図であり、図３は、本発明の一実施の形態である遊技機の遊技盤に係る構成を模式的に示す正面図である。
【００１７】
図１に例示されるように、本実施の形態において、遊技機１０は、遊技機１０の外郭を形成する支持体２０と、支持体２０の後述する側板２３を軸にして回動可能となるように支持体２０に支持された透過部材保持枠３０及び遊技盤保持枠４０とを備えて構成されている。
【００１８】
支持体２０は、上板２１、下板２２、側板２３、側板２４からなる四辺の夫々を連結金具２５ａ、連結金具２５ｂ、連結金具２５ｃ、連結金具２５ｄにより連結させて、略長方形状の囲繞空間を有して構成されている。これら上板２１、下板２２、側板２３、側板２４の材質は、変形や歪みが生じにくい木材等が用いられている。
【００１９】
上板２１及び側板２３を連結する連結金具２５ａと、側板２３及び下板２２を連結する連結金具２５ｂとには、遊技機１０の前面側に突出した位置で互いに対向して配置された一対のヒンジ２６ａ、ヒンジ２６ｂが設けられている。
【００２０】
この一対のヒンジ２６ａ、ヒンジ２６ｂには、透過部材保持枠３０及び遊技盤保持枠４０が連結され、上述したように、支持体２０の側板２３を軸にして回動可能となるように支持体２０に支持されている。
【００２１】
具体的には、透過部材保持枠３０には、この透過部材保持枠３０の後述する側辺３３の上方に突出する枢支軸２７ａ及び側辺３３の下方に突出する枢支軸２７ｂが設けられ、これら枢支軸２７ａがヒンジ２６ａに回動可能となるように支持され、枢支軸２７ｂがヒンジ２６ｂに回動可能となるように支持されている。
【００２２】
このように、透過部材保持枠３０の枢支軸２７ａ及び枢支軸２７ｂがヒンジ２６ａ及びヒンジ２６ｂに回動可能となるように支持されることで、透過部材保持枠３０が支持体２０の側板２３を軸にして回動可能となるように支持されている。
【００２３】
なお、本実施の形態の透過部材保持枠３０は、上述したように、支持体２０に回動可能となるように支持されているが、これに限定されず、例えば、支持体２０に透過部材保持枠３０を嵌め込んで、支持体２０と透過部材保持枠３０とを連結させても良い。
【００２４】
透過部材保持枠３０は、上辺３１、下辺３２、側辺３３、側辺３４からなる四辺によって略長方形状の囲繞空間を有して構成されている。この透過部材保持枠３０の囲繞空間には、後述する遊技盤５０に対向して配置され、遊技盤５０を被装する透過部材１１が配置されている。これら上辺３１、下辺３２、側辺３３、側辺３４の材質は、軽量化や装飾性の向上の目的から合成樹脂性とすることが望ましく、好ましくは、補強金具３５を固定して歪みや変形を防止するとよい。
【００２５】
本実施の形態の透過部材１１は、合成樹脂を用いて形成されている。なお、透過部材１１の材質については、合成樹脂に限定されず、透過部材１１を介して後述する遊技盤５０を遊技者側から目視可能なものであれば、例えば、ガラス板等により形成しても良い。
【００２６】
本実施の形態では、透過部材１１の裏面、すなわち、後述する遊技盤５０側に向けて起立する起立壁１２が一体に成型されている。起立壁１２は、後述する内ガイドレール５４に沿った形状をなして形成されている。
【００２７】
なお、本実施の形態において、起立壁１２は、透過部材１１に一体に成型されているが、これに限定されず、例えば、透過部材１１に接着剤、熱溶着等により接着させて成型しても良い。また、起立壁１２は、遊技盤５０を平面視すると、内ガイドレール５４の左側下方から中央下方に相当する位置に成型されているが、この位置に限定されず、例えば、内ガイドレール５４の左側上方から右側下方、すなわち、内ガイドレール５４の全周に相当する位置に成型しても良い。
【００２８】
遊技盤保持枠４０は、透過部材保持枠３０と同様に、上辺４１、下辺４２、側辺４３、側辺４４からなる四辺によって略長方形状の囲繞空間を有して構成されている。この遊技盤保持枠４０の囲繞空間には、後述する遊技盤５０が配置されている。
【００２９】
なお、図１に例示されるように、透過部材保持枠３０は支持体２０に対して開放された状態を示し、遊技盤保持枠４０は支持体２０に対して閉じられた状態を示しているが、これら透過部材保持枠３０及び遊技盤保持枠４０を支持体２に対して閉じた状態では、支持体２０、透過部材保持枠３０及び遊技盤保持枠４０が全て略平行に配置されている。
【００３０】
すなわち、図２に例示されるように、透過部材保持枠３０及び遊技盤保持枠４０を閉じた状態では、遊技盤５０に対して所定の間隔を維持して透過部材１１が対向して配置されることで、遊技盤５０の前面が透過部材１１により覆われている。
【００３１】
また、遊技機１０の前面、すなわち、透過部材保持枠３０の前面には、遊技機１０の起動に起因して遊技を装飾する装飾ランプ７１、遊技球を発射させるための操作ハンドル７２、遊技球を溜める上皿７３、装飾ランプ７１と同様に、遊技機１０の起動に起因して遊技を聴覚的に装飾するスピーカー７４が配置されている。
【００３２】
次に、本発明の一実施の形態である遊技機１０の遊技盤５０に係る構成について図３を用いて説明する。図３は、本発明の一実施の形態である遊技機１０の遊技盤５０に係る構成を模式的に示した正面図である。
【００３３】
本実施の形態において、遊技機１０は、入賞装置、風車、障害釘等の遊技部品が配置され、遊技球が転動又は流下可能な遊技領域５２を有する遊技盤５０を備えて構成されている。遊技盤５０は、遊技機１０を遊技場に設置する際、設置面に対して略垂直に立設するように支持体２０に固定されている。すなわち、遊技盤５０の表面（以下、遊技面５１という。）は、透過部材１１を介して遊技者に対面するように配置されている。
【００３４】
遊技盤５０は、木材等を用いて平板状に形成され、上述したように、遊技面５１に入賞装置、風車、障害釘等の遊技部品を配設してなる遊技領域５２を有して構成されている。
【００３５】
遊技面５１には、図示しない発射装置により発射された遊技球を遊技領域５２に案内する役目を果たし、遊技領域５２を囲繞して配置され、遊技面５１に対して垂直に起立して配置された帯状の外ガイドレール５３が設けられている。
【００３６】
本実施の形態において、外ガイドレール５３の材質は、プラスチック製素材を用いて形成されている。なお、外ガイドレール５３の材質は、プラスチック製素材に限定されず、例えば、金属性素材を用いて形成しても良い。
【００３７】
外ガイドレール５３は、遊技面５１を正面視すると左側下方から右側上方にかけて遊技領域５２を囲うように配置されている。具体的には、外ガイドレール５３の一端５３ａが遊技面５１を正面視すると左側下方に配置され、他端５３ｂが、遊技面５１の右側上方に配置されている。そして、外ガイドレール５３は、この外ガイドレール５３を可撓させて一端５３ａから他端５３ｂまで円弧を描くように湾曲して配置されている。
【００３８】
外ガイドレール５３の他端５３ｂの近傍には、遊技面５１を飾りつける飾り部材５５が配置されている。この飾り部材５５は、遊技面５１を正面視すると右側上方から右側下方に向かって遊技面５１に対して垂直に起立する起立面を有して構成されている。
【００３９】
飾り部材５５の起立面は、この起立面の上方に位置する外ガイドレール５３の他端５３ｂに連設して配置されている。そして、飾り部材５５の起立面の高さは、外ガイドレール５３の起立高さと同じ高さで形成されている。すなわち、飾り部材５５の起立面は、外ガイドレール５３と同様に、遊技領域５２を囲うように配置されている。
【００４０】
飾り部材５５の下方には、遊技状況を表示する表示装置５６が配置されている。表示装置５６は、遊技面５１から突出して配置されており、遊技面５１を正面視すると右側から中心側に向けて下方に傾斜させた直接状の傾斜面を有して構成されている。
【００４１】
表示装置５６の傾斜面は、この傾斜面の他端が、遊技面５１を正面視すると傾斜面の右側に位置する飾り部材５５の起立面の他端に連設して配置されている。一方、傾斜面の一端が、後述する内ガイドレール５４の他端５４ｂに連設して配置されている。そして、傾斜面の高さは、飾り部材５５の起立面の高さと同じ高さで形成されている。すなわち、表示装置５６の傾斜面は、飾り部材５５の起立面と同様に、遊技領域５２を囲うように配置されている。
【００４２】
なお、本実施の形態において、表示装置５６は、遊技面５１を正面視すると、右側下方に配置されているが、この位置に限定されず、例えば、中央下方に配置しても良い。この場合、表示装置５６の傾斜面の代わりに、第２の飾り部材を設け、この第２の飾り部材は、表示装置５６と同様に、傾斜面を有して構成されている。
【００４３】
また、遊技面５１には、外ガイドレール５３と共に、図示しない発射装置により発射された遊技球を遊技領域５２に案内する役目を果たし、外ガイドレール５３と同様に、遊技領域５２を囲繞して配置され、遊技面５１に対して垂直に起立して配置された帯状の内ガイドレール５４が設けられている。
【００４４】
本実施の形態において、内ガイドレール５４の材質も、外ガイドレール５３の材質と同様に、プラスチック製素材を用いて形成されている。なお、内ガイドレール５４の材質もプラスチック製素材に限定されず、例えば、金属製素材を用いて形成しても良い。
【００４５】
内ガイドレール５４は、遊技面５１を正面視すると、外ガイドレール５３の内側に配置され、中央下方から左側上方にかけて遊技領域５２を囲うように配置されている。具体的には、内ガイドレール５４の一端５４ａが、遊技面５１を正面視すると、左側上方に配置され、他端５４ｂが遊技面５１の中央下方に配置されている。そして、ガイドレール５４は、この内ガイドレール５４を可撓させて一端５４ａから他端５４ｂまで円弧を描くように湾曲して配置されている。
【００４６】
内ガイドレール５４は、上述したように、内ガイドレール５４の他端５４ｂが、遊技面５１を正面視すると中方下方に配置されているが、この他端５４ｂは、遊技面５１の軸よりも右側に配置されており、他端５４ｂから遊技面５１の軸に向かって下方に傾斜しながら時計回りに方向に緩やかに湾曲して配置されている。
【００４７】
すなわち、内ガイドレール５４は、遊技面５１の軸上において、最も下方に位置する共に、この位置から一端５４ａに向かって上方に傾斜しながら時計回り方向に緩やかに湾曲して配置されている。
【００４８】
このように、外ガイドレール５３の内側に内ガイドレール５４が配置され、これら外ガイドレール５３及び内ガイドレール５４は、所定の間隔を保って互いに対向して配置されている。そして、外ガイドレール５３及び内ガイドレール５４の間には、遊技球が通過可能なガイド通路５８が区画されている。
【００４９】
ガイド通路５８は、上述したように、外ガイドレール５３及び内ガイドレール５４の間に区画されている。そして、ガイド通路５８は、図示しない接続通路を介して図示しない発射装置に連接されている。
【００５０】
すなわち、ガイド通路５８は、発射装置により発射された遊技球が接続通路を通過した後、ガイド通路５８を通過することで、遊技球が遊技面５１の左側下方から左側上方に向かって飛び出すように区画されている。
【００５１】
このように、遊技面５１には、外ガイドレール５３、飾り部材５５、表示装置５６、内ガイドレール５４が連続して、互いに連接して配置されることで、ガイド通路５８及び遊技領域５２が隣接した状態で囲繞形成されている。
【００５２】
次に、透過部材１１に係る構成について、図４乃至図５を用いて説明する。図４は、本発明の一実施の形態である遊技機１０の透過部材１１に係る構成を模式的に示す正面図であり、図５は、図４に示す線Ａ−Ａ´を模式的に示す断面図である。
【００５３】
図４及び図５に例示されるように、本実施の形態の透過部材１１は、互いに対向して配置された第１透過板１３及び第２透過板１４を備えて構成されている。第１透過板１３は、遊技者側に配置され、合成樹脂等により形成されている。なお、第１透過板１３の材質については、合成樹脂に限定されず、透過部材１１を介して遊技盤５０を遊技者側から目視可能なものであれば、例えば、ガラス板等により形成しても良い。
【００５４】
また、第２透過板１４は、遊技盤５０側に配置され、第１透過板１３と同様に合成樹脂等により形成されている。なお、本実施の形態において、第２透過板１４の材質についても、合成樹脂に限定されず、透過部材１１を介して遊技盤５０を遊技者側から目視可能なものであれば、例えば、ガラス板等により形成しても良い。
【００５５】
このように、透過部材１１は、第１透過板１３及び第２透過板１４の２枚の透過板を互いに対向して配置することで、磁石等を透過部材１１に当てて、遊技球を不正に操作する不正行為を防止することができる。
【００５６】
本実施の形態では、第２透過板１４の裏面、すなわち、遊技盤５０側には、遊技盤５０側に起立する起立壁１２が第２透過板１４に一体に成型されている。起立壁１２は、透過部材１１を平面視すると左側下方から中央下方にかけて湾曲して成型されている。すなわち、起立壁１２は、透過部材保持枠３０を閉じた際、内ガイドレール５４の外周に沿った形状をなして配置されている。
【００５７】
なお、本実施の形態において、起立壁１２は、透過部材１１に一体に成型されているが、これに限定されず、例えば、透過部材１１に接着剤、熱溶着等により接着させて成型しても良い。また、起立壁１２は、上述したように、内ガイドレール５４の左側下方から中央下方に相当する位置に成型されているが、この位置に限定されず、例えば、内ガイドレール５４の左側上方から右側下方、すなわち、内ガイドレール５４の全周に相当する位置に成型しても良い。
【００５８】
起立壁１２の起立高さは、透過部材保持枠３０を閉じた際、内ガイドレール５４の外周面と重なる高さで形成されている。すなわち、起立壁１２は、透過部材保持枠３０を閉じた際、内ガイドレール５４の外周面にほぼ当接するように配置されている。
【００５９】
このように、内ガイドレール５４の外周面に沿って起立壁１２がほぼ当接するように配置されることで、不正行為実行具を挿入させることが困難となり、不正行為を防止することができる。
【００６０】
また、本実施の形態の起立壁１２は、透過部材１１に一体に成型され、透過部材１１と同様に、透明な部材により成型されているため、遊技機１０の外観性を損なわせることなく不正行為を防止することができる。
【００６１】
（実施の形態２）
次に、本発明の他の実施の形態について図６乃至図７を用いて説明する。図６は、本発明の他の実施の形態である遊技機１０の透過部材６１に係る構成を模式的に示す正面図であり、図７は、図６に示す線Ｂ−Ｂ´を模式的に示す断面図である。
【００６２】
この実施の形態２は、上述の実施の形態１に対して、透過部材６１の裏面側、すなわち遊技盤５０側の透過板が第２透過板６４及び第３透過板６５の２枚の透過板により構成されている点が異なり、他の構成は同様である。したがって、上述の実施の形態１の構成と同一又は相当する部分には、同じ符号を付してその説明を省略する。
【００６３】
図６及び図７に例示されるように、本実施の形態の透過部材６１は、互いに対向して配置された第１透過板６３及び第２透過板６４を備えて配置されている。第１透過板６３は、遊技者側に配置され、合成樹脂を用いて形成されている。なお、第１透過板６３の材質については、合成樹脂に限定されず、透過部材１１を介して遊技盤５０を遊技者側から目視可能なものであれば、例えば、ガラス板等により形成しても良い。
【００６４】
第２透過板６４は、遊技盤５０側に配置され、第１透過板６３と同様に、合成樹脂を用いて形成されている。なお、第２透過板６４の材質についても、合成樹脂に限定されず、透過部材１１を介して遊技盤５０を遊技者側から目視可能なものであれば、例えば、ガラス板等により形成しても良い。
【００６５】
本実施の形態では、第２透過板６４は、この第２透過板６４に第３透過板６５を接着させて２枚の透過板を一体に成型して構成されている。第３透過板６５の材質についても、第１透過板６３及び第２透過板６４と同様に、合成樹脂を用いて形成されているが、これに限定されず、透過部材１１を介して遊技盤５０を遊技者側から目視可能なものであれば、例えば、ガラス板等により形成しても良い。
【００６６】
第２透過板６４は、この第２透過板６４の外縁の一部を内ガイドレール５４の外周に沿った形状をなして形成されている。具体的には、第２透過板６４は、この第２透過板６４を正面視すると、第２透過板６４の左側から右側下方かけて湾曲して内ガイドレール５４に沿った形状に形成されている。
【００６７】
そして、内ガイドレール５４の外周に沿って形成された第２透過板６４の外縁の一部には、遊技盤５０側に起立する起立壁６２が第２透過板６４に一体に成型されている。すなわち、起立壁６２は、第２透過板６４の外縁と同様に、第２透過板６４を平面視すると、左側下方から中央下方にかけて湾曲して成型されている。
【００６８】
また、第３透過板６５は、内ガイドレール５４の外周に沿って形成された第２透過板６４の外縁の一部に対応する外縁を有し、上述したように、第２透過板６４に接着させて配置されている。すなわち、第３透過板６５の外縁の一部は、内ガイドレール５４の外周に沿った形状をなして形成されている。これにより、本実施の形態では、第２透過板６４に起立壁６２を一体に成型しているが、内ガイドレール５４の外周に沿って第３透過板６５に起立壁６２を一体に成型しても良い。なお、本実施の形態において、第２透過板６４と第３透過板６５とは、接着剤により接着して一体に成型されているが、接着剤に限定されず、例えば、熱溶着等により接着して一体に成型しても良い。
【００６９】
本実施の形態によれば、第２透過板６４及び第３透過板６５の外縁の一部が内ガイドレール５４の外周に沿った形状をなして形成されており、この第２透過板６４及び第３透過板６５の何れか一方の外縁に起立壁６２が成型されているため、起立壁６２をより容易に成型することができる。
【００７０】
また、起立壁６２は、透過部材保持枠３０を閉じた際、内ガイドレール５４の外周に沿った形状をなして配置されている。起立壁６２の起立高さは、透過部材保持枠３０を閉じた際、内ガイドレール５４の外周面と重なる高さで形成されている。すなわち、起立壁６２は、透過部材保持枠３０を閉じた際、内ガイドレール５４の外周面にほぼ当接するように配置されている。
【００７１】
このように、内ガイドレール５４の外周面に沿って起立壁６２がほぼ当接するように配置されることで、不正行為実行具を挿入させることが困難となり、不正行為を防止することができる。
【００７２】
また、本実施の形態の起立壁６２は、透過部材６１の第２透過板６４に一体に成型され、第２透過板６４と同様に、透明な部材により成型されているため、遊技機１０の外観性を損なわせることなく不正行為を防止することができる。
【符号の説明】
【００７３】
１０      遊技機
１１      透過部材
１２      起立壁
１３      第１透過板
１４      第２透過板
２０      支持体
２１      上板
２２      下板
２３      側板
２４      側板
２５      連結金具
２６      ヒンジ
２７      枢支軸
３０      透過部材保持枠
３１      上辺
３２      下辺
３３      側辺
３４      側辺
３５      補強金具
４０      遊技盤保持枠
４１      上辺
４２      下辺
４３      側辺
４４      側辺
５０      遊技盤
５１      遊技面
５２      遊技領域
５３      外ガイドレール
５４      内ガイドレール
５５      飾り部材
５６      表示装置
５７      排出口
５８      ガイド通路
６１      透過部材
６２      起立壁
６３      第１透過板
６４      第２透過板
６５      第３透過板
７１      装飾ランプ
７２      操作ハンドル
７３      上皿
７４      スピーカー
【図１】
2011078676.tif 000003
【図２】
2011078676.tif 000004
【図３】
2011078676.tif 000005
【図４】
2011078676.tif 000006
【図５】
2011078676.tif 000007
【図６】
2011078676.tif 000008
【図７】
2011078676.tif 000009